(57)【要約】【課題】携帯電話機に着信があったことを超音波によって着信報知器に通知し、当該着信報知器から予めユーザによって定められた着信メロディを音声出力できる携帯電話機システムを提供すること。【解決手段】携帯電話機１に電話着信があると、携帯電話機１は、電話発信者に対応した着信報知用の音声信号を生成する。そして、前記音声信号によって超音波周波数領域の搬送波を変調した、変調信号を無指向性スピーカーＳに出力する。無指向性スピーカーＳは、当該変調信号を超音波振動に変換し、着信報知器２の超音波マイクロフォンＭに送信する。着信報知器２は、超音波マイクロフォンＭにより前記超音波振動を受信して電気信号に変換し、変換した電気信号を復調して音声信号を抽出し、スピーカーに音声信号を出力する。【選択図】図１
2009253516.tif 000002
【特許請求の範囲】
【請求項１】
携帯電話機と、当該携帯電話機に着信があったことをユーザに報知する着信報知器とから構成される携帯電話機システムにおいて、
前記携帯電話機は、当該携帯電話機に着信があると、当該着信があったことを報知するための音声信号によって超音波周波数領域の搬送波を変調した、変調信号を生成する変調部と、
前記変調部が生成した変調信号を超音波振動に変換し、前記着信報知器に出力するスピーカーを備え、
前記着信報知器は、前記超音波振動を受信し電気信号に変換するマイクロフォンと、
前記マイクロフォンで変換された電気信号から音声信号を復調する復調部と、
前記復調部で復調された音声信号を出力するスピーカーを備えることを特徴とする携帯電話機システム。
【請求項２】
前記携帯電話機の変調部における変調方式は、振幅変調方式又は周波数変調方式であることを特徴とする請求項１に記載の携帯電話機システム。
【請求項３】
前記携帯電話機の筐体の角、縁等に前記スピーカーを複数個配設したことを特徴とする請求項１又は２に記載の携帯電話機システム。
【請求項４】
携帯電話機と、当該携帯電話機に着信があったことをユーザに報知する着信報知器とから構成される携帯電話機システムの携帯電話機において、
前記携帯電話機に着信があると、当該着信があったことを報知するための音声信号によって超音波周波数領域の搬送波を変調した、変調信号を生成する変調部と、
前記変調部が生成した変調信号を超音波振動に変換し、前記着信報知器に出力するスピーカーを備えたことを特徴とする携帯電話機。
【請求項５】
携帯電話機に着信があると、当該着信があったことを報知するための音声信号によって超音波周波数領域の搬送波を変調した、変調信号を生成する変調部と、前記変調部が生成した変調信号を超音波振動に変換し、前記着信報知器に出力するスピーカーを備えた携帯電話機と、当該携帯電話機に着信があったことをユーザに報知する着信報知器とから構成される携帯電話機システムの着信報知器において、
前記着信報知器は、前記携帯電話機が出力した超音波振動を受信し電気信号に変換するマイクロフォンと、
前記マイクロフォンで変換された電気信号から音声信号を復調する復調部と、
前記復調部で復調された音声信号を出力するスピーカーを備えることを特徴とする着信報知器。
【発明の詳細な説明】
【技術分野】
【０００１】
本発明は、携帯電話機と、当該携帯電話機に着信があったことをユーザに報知する着信報知器とから構成される携帯電話機システムに関する。
【背景技術】
【０００２】
現在では、ほとんど全ての携帯電話機にいわゆるマナーモード機能が搭載されている。マナーモード機能は、電話着信、電子メール着信をユーザに報知するための報知音やメロディを音声出力せず、携帯電話機のバイブレーターを振動させたり、ＬＥＤなどを点滅させて前記電話着信などをユーザに報知する機能をいう。
【０００３】
しかし、携帯電話機はかさばるため、ユーザは、携帯電話機をポケットに入れて身につけているとは限らない。そのため、ユーザが携帯電話機を鞄の中に入れている場合には、前述したように、バイブレーターを振動させても、バイブレーターの振動に気付かない場合がある。
【０００４】
また、前述したように、ＬＥＤなどを点滅させれば、ユーザが携帯電話機を身につけていなくても、当該ユーザの視界に入る場所に携帯電話機を置いていた場合、ＬＥＤの点灯によって着信があったことをユーザは知ることができる。しかし、携帯電話機を視界に入らない場所に置いていた場合には、着信があったことに気付かないことがある。
【０００５】
そこで、マナーモード機能を実行中に、携帯電話機をユーザが身につけていなくても当該携帯電話機に着信があったことをユーザに報知できる技術が様々提案されている。
【０００６】
例えば、特許文献１には、携帯電話機に着信があったことをユーザに報知する振動式着信報知器が開示され、前記振動式着信報知器は、ユーザが常に身につけている腕時計などに装着することができる。
前記携帯電話機に電話着信があった場合には、当該携帯電話機は、前記振動式着信報知器に着信報知信号を送信する。そして、前記着信報知信号を受信した振動式着信報知器は、当該報知器に設けられたバイブレーターを振動させ、携帯電話機に着信があったことをユーザに報知する。
【０００７】
また、超音波を利用して、携帯電話機に電話着信があったことを振動式着信報知器に通知し、当該携帯電話機に着信があったことを、当該報知器のバイブレーターを振動させることによってユーザに報知する技術が提案されている（特許文献２参照）。
【０００８】
そして、超音波を利用して、携帯電話機に電話着信があったことを発光式着信報知器に通知し、当該携帯電話機に着信があったことを、当該報知器のＬＥＤを点滅させることによってユーザに報知する技術が提案されている（特許文献３参照）。
【特許文献１】特開２００２−１６４９６３号公報
【特許文献２】特開平１０−１９０７８２号公報
【特許文献３】特開２００１−１１１６５３号公報
【発明の開示】
【発明が解決しようとする課題】
【０００９】
ところで、携帯電話機には、電話着信／メール着信があった場合、当該電話の発信元／メールの発信者に応じて着信音、いわゆる着信メロディを変更できる機能が備わっている。例えば、友人からの電話の場合には、着信メロディＸを鳴らす、また、会社からの電話の場合には、着信メロディＹを鳴らすように、発信者に応じて着信メロディを変更できる。
このような着信メロディ変更機能によって、着信メロディを聴くだけで、電話の発信者などを特定できるのでユーザの利便性が向上する。
【００１０】
しかし、特許文献２及び特許文献３の技術を利用して、携帯電話機に着信があったことをユーザに報知した場合、当該ユーザは、前述した着信メロディ変更機能による利便性の向上を享受することが困難になる。
【００１１】
本発明は、かかる実情に鑑みてなされたものであり、携帯電話機と、当該携帯電話機に着信があったことをユーザに報知する着信報知器とから構成される携帯電話機システムにおいて、前記携帯電話機に着信があったことを超音波によって着信報知器に通知し、当該着信報知器から予めユーザによって定められた着信メロディを音声出力できる携帯電話機システムを提供することを目的とする。
【課題を解決するための手段】
【００１２】
第１の技術手段は、携帯電話機と、当該携帯電話機に着信があったことをユーザに報知する着信報知器とから構成される携帯電話機システムにおいて、前記携帯電話機は、当該携帯電話機に着信があると、当該着信があったことを報知するための音声信号によって超音波周波数領域の搬送波を変調した、変調信号を生成する変調部と、前記変調部が生成した変調信号を超音波振動に変換し、前記着信報知器に出力するスピーカーを備え、前記着信報知器は、前記超音波振動を受信し電気信号に変換するマイクロフォンと、前記マイクロフォンで変換された電気信号から音声信号を復調する復調部と、前記復調部で復調された音声信号を出力するスピーカーを備えることを特徴とする携帯電話機システムである。
【００１３】
第２の技術手段は、第１の技術手段において、前記携帯電話機の変調部における変調方式は、振幅変調方式又は周波数変調方式であることを特徴とする。
【００１４】
第３の技術手段は、第１又は第２の技術手段において、前記携帯電話機の筐体の角、縁等に前記スピーカーを複数個配設したことを特徴とする。
【００１５】
第４の技術手段は、携帯電話機と、当該携帯電話機に着信があったことをユーザに報知する着信報知器とから構成される携帯電話機システムの携帯電話機において、前記携帯電話機に着信があると、当該着信があったことを報知するための音声信号によって超音波周波数領域の搬送波を変調した、変調信号を生成する変調部と、前記変調部が生成した変調信号を超音波振動に変換し、前記着信報知器に出力するスピーカーを備えたことを特徴とする携帯電話機である。
【００１６】
第５の技術手段は、携帯電話機に着信があると、当該着信があったことを報知するための音声信号によって超音波周波数領域の搬送波を変調した、変調信号を生成する変調部と、前記変調部が生成した変調信号を超音波振動に変換し、前記着信報知器に出力するスピーカーを備えた携帯電話機と、当該携帯電話機に着信があったことをユーザに報知する着信報知器とから構成される携帯電話機システムの着信報知器において、前記着信報知器は、前記携帯電話機が出力した超音波振動を受信し電気信号に変換するマイクロフォンと、前記マイクロフォンで変換された電気信号から音声信号を復調する復調部と、前記復調部で復調された音声信号を出力するスピーカーを備えることを特徴とする着信報知器である。
【発明の効果】
【００１７】
本発明によれば、携帯電話機に着信があったことを超音波によって着信報知器に通知し、当該着信報知器から予めユーザによって定められた着信メロディを音声出力できるので、当該ユーザは、着信メロディ変更機能による利便性の向上を享受することができる。また、超音波を利用するため、電波混線、電波干渉などによる前記報知器の誤作動を防止することができる。
【発明を実施するための最良の形態】
【００１８】
図１は、本発明の概要を説明するための図である。
１は、本発明に係わる携帯電話機で、２は、携帯電話機１に着信があったことをユーザに報知する着信報知器である。着信報知器２は、図に示したように、耳に装着しやすいイヤホン型又はヘッドフォン型の形状を有している。
【００１９】
携帯電話機１に図示しない基地局からの電話着信／電子メール着信があると、携帯電話機１は、電話発信者／電子メール発信者に対応した着信報知用の音声信号を生成する。そして、前記音声信号によって超音波周波数領域（人の可聴域を超える２０ｋＨｚ以上で、医療器具などで利用される約数ＭＨｚまでの間の周波数領域）における特定周波数の搬送波を変調した、変調信号を無指向性スピーカーＳに出力する。前記変調信号を受信した無指向性スピーカーＳは、当該変調信号を超音波振動に変換し、着信報知器２の超音波マイクロフォンＭに送信する。
【００２０】
着信報知器２は、超音波マイクロフォンＭにより前記超音波振動を受信して電気信号に変換し、変換した電気信号を復調して音声信号を抽出し、図示しないスピーカーに音声信号を出力する。
【００２１】
図２は、本発明に係わる携帯電話機１及び着信報知器２を説明するためのブロック図である。
（携帯電話機１）
１０１は、液晶パネル等から構成される表示部で、携帯電話機１の状態情報などを表示する。
１０２は、テンキー、十字キー等から構成される操作部で、ユーザは当該操作部を介して携帯電話機１を操作する。マナーモードの設定操作も操作部１０２を介して行われる。
１０３はスピーカーで、１０４はマイクで、１０５は、発信、着信、通話処理、メールの送受信処理を実行する携帯電話機能部である。
１０６は各種制御データを記憶するメモリで、１０７は、各機能ブロックを制御する制御部である。
【００２２】
１１１は、音声データ記憶部で、電話、メールなどの着信があったことを報知するための音声やメロディを記憶する。
１１２は、音声信号生成部で、後述するように、制御部１０７からの指示を受け音声データ記憶部１１１から音声データを読み出し、当該データに復号処理を施して可聴域の音声信号を生成する。そして、生成した音声信号を変調部１１４に出力する。
１１３は、搬送波生成部で、予め設定された超音波周波数領域における特定周波数の搬送波を生成し、変調部１１４に出力する。
【００２３】
変調部１１４は、音声信号生成部１１２からの音声信号によって、搬送波生成部１１３からの超音波周波数領域の搬送波を変調した、変調信号を生成する。そして、生成した変調信号を無指向性スピーカー１１５に出力する。
なお、前記変調は、振幅変調方式（AM）又は周波数変調方式（FM）によって行われる。前記音声信号を振幅変調で変調すれば、変調用回路を簡素化できる。周波数変調で変調すれば、例えば超音波周波数領域に他のノイズがあっても、着信報知器２において効果的に前記ノイズを低減することができる。
【００２４】
無指向性スピーカー（超音波振動体）１１５は、変調部１１４からの変調信号を超音波振動に変換し、着信報知器２に送信（出力）する。
なお、無指向性スピーカー１１５は、指向性を低減させるために振動面積を出来るだけ小さくすることが好ましい。超音波の性質上、振動面積が大きくなると指向性が鋭くなるからである。
【００２５】
（着信報知器２）
２０１は、超音波マイクロフォンで、携帯電話機１の無指向性スピーカー１１５から送信された超音波振動を受信し、電気信号に変換し、バンドパスフィルタ２０２に出力する。
【００２６】
バンドパスフィルタ２０２は、超音波マイクロフォン２０１が出力した電気信号から、携帯電話機１の搬送波生成部１１３において設定された周波数領域に対応する電気信号を抽出し、復調部２０３に出力する。なお、バンドパスフィルタ２０２を設ける理由は、超音波マイクロフォン２０１は、無指向性スピーカー１１５から出力された超音波振動の周波数領域以外の超音波もノイズとして受信してしまうため、前記周波数領域よりも低い領域（帯域）及び高い領域に対応する電気信号をカットするためである。
【００２７】
復調部２０３は、バンドパスフィルタ２０２によって抽出された電気信号から携帯電話機１の音声信号生成部１１２が生成した音声信号を復調する。そして、復調した音声信号をスピーカー２０４に出力する。具体的な復調方式としては、変調部１１４において音声信号を振幅変調によって変調した場合には振幅変調に対する復調方式、例えば、包絡線検波によって音声信号を復調する。同じく、前記音声信号を周波数変調によって変調した場合には周波数変調に対する復調方式、例えば、共振回路のスロープ特性を利用した周波数弁別器によって音声信号を復調する。
【００２８】
スピーカー２０４は、復調部２０３からの音声信号を音声出力する。
【００２９】
次に、前述した音声報知処理を、図３のフロー図を用いて詳細に説明する。なお、携帯電話機１においては、マナーモードが設定されているものとする。
携帯電話機１の携帯電話機能部１０５に電話着信／電子メール着信があると（ステップＳ１）、音声信号生成部１１２は、制御部１０７によって特定された電話発信者／電子メール発信者に対応した着信音等の音声データを音声データ記憶部１１１から読み出す（ステップＳ２）。そして、前記読み出した音声データを音声信号に変換し、変換した音声信号を変調部１１４に出力する（ステップＳ３）。
同時に、制御部１０７からの搬送波生成指示を受けた搬送波生成部１１３は、搬送波（超音波）を生成し、変調部１１４に出力する（ステップＳ４）。
【００３０】
音声信号生成部１１２からの音声信号及び搬送波生成部１１３からの搬送波を受信した変調部１１４は、音声信号生成部１１２からの音声信号によって搬送波生成部１１３からの搬送波を変調した変調信号を生成し、さらに、生成した変調信号を無指向性スピーカー１１５に出力する（ステップＳ５）。
変調部１１４からの変調信号を受信した無指向性スピーカー１１５は、変調部１１４からの変調信号を超音波振動に変換し、着信報知器２に送信する（ステップＳ６）。
【００３１】
前記超音波振動を受信した超音波マイクロフォン２０１は、受信した超音波振動を電気信号に変換し、バンドパスフィルタ２０２に出力する（ステップＳ７）。
超音波マイクロフォン２０１からの電気信号を受信したバンドパスフィルタ２０２は、受信した電気信号から携帯電話機１の搬送波生成部１１３において設定された周波数領域に対応する電気信号を抽出し、復調部２０３に出力する（ステップＳ８）。
バンドパスフィルタ２０２からの電気信号を受信した復調部２０３は、前記電気信号から携帯電話機１の音声信号生成部１１２が生成した音声信号を復調し、スピーカー２０４に出力する（ステップＳ９）。
【００３２】
（その他）
超音波には、周波数が高く、振動面積が大きいほど指向性が鋭くなるといった性質がある。超音波はかかる性質を有するため、振動面積を小さくすれば指向性を緩和できるが、小さくし過ぎると、発生する超音波の出力が小さくなってしまう。
つまり、携帯電話機１が出力する超音波振動を、当該携帯電話機１から数ｍの範囲内に位置しているユーザが所持する着信報知器２に到達させるためには、無指向性スピーカー１１５における超音波振動の振動面積をある程度大きくする必要があるが、前記振動面積を大きくすると指向性が鋭くなり、超音波振動が広範囲に届かなくなる。
そこで、超音波振動を広範囲に届かせるために、携帯電話機１の筐体の角や縁等に、複数個の無指向性スピーカー１１５を配設することが好ましい。
【００３３】
また、現在では、親指大の携帯型音楽再生装置が普及しているが、かかる携帯型音楽再生装置に着信報知器２を設けてもよい。この場合、前記携帯型音楽再生装置に接続しているイヤホン又はヘッドフォンが着信報知器２のスピーカー２０４として機能する。
【図面の簡単な説明】
【００３４】
【図１】本発明の概要を説明するための図である。
【図２】本発明を説明するためのブロック図である。
【図３】本発明を説明するためのフロー図である。
【符号の説明】
【００３５】
１…携帯電話機、１０１…表示部、１０２…操作部、１０３…スピーカー、１０４…マイク、１０５…携帯電話機能部、１０６…メモリ、１０７…制御部、１１１…音声データ記憶部、１１２…音声信号生成部、１１３…搬送波生成部、１１４…変調部、１１５，Ｓ…無指向性スピーカー、２…着信報知器、２０１，Ｍ…超音波マイクロフォン、２０２…バンドパスフィルタ、２０３…復調部、２０４…スピーカー。
【図１】
2009253516.tif 000003
【図２】
2009253516.tif 000004
【図３】
2009253516.tif 000005